(57)【特許請求の範囲】
【請求項１】
チューブ形態を有し、長さ方向に沿って複数の風排出口が形成される曲線状の首掛け部、
前記首掛け部と内部が連通し、ファンが設けられて前記首掛け部の内部に風を送る風発生部、及び
前記ファンの回転速度を調節する制御部を含み、
前記風発生部を通して流入された風は前記制御部によって強さが可変しつつ前記風排出口を通して排出され、
前記首掛け部の外面には長さ方向に沿って風流れ溝が形成され、
前記複数の風排出口は前記風流れ溝の内側に形成され、
前記首掛け部が着用者の首に密着する場合、前記風排出口から排出された風は前記風流れ溝に沿って流れて皮膚の熱を吸収することを特徴とするネックレス型扇風機。
【請求項２】
チューブ形態を有し、長さ方向に沿って複数の風排出口が形成される曲線状の首掛け部、
前記首掛け部と内部が連通し、ファンが設けられて前記首掛け部の内部に風を送る風発生部、及び
前記ファンの回転速度を調節する制御部を含み、
前記風発生部を通して流入された風は前記制御部によって強さが可変しつつ前記風排出口を通して排出され、
前記風発生部は前記首掛け部の両端部に各々形成され、
前記首掛け部は、
端部にいずれか一つの前記風発生部が形成される第１首掛け部、及び
前記第１首掛け部と回転可能に結合され、端部に他の一つの前記風発生部が形成される第２首掛け部を含むことを特徴とするネックレス型扇風機。
【請求項３】
前記首掛け部の内部には内部空間を区切る隔壁が形成されることを特徴とする、請求項２に記載のネックレス型扇風機。
【請求項４】
チューブ形態を有し、長さ方向に沿って複数の風排出口が形成される曲線状の首掛け部、
前記首掛け部と内部が連通し、ファンが設けられて前記首掛け部の内部に風を送る風発生部、及び
前記ファンの回転速度を調節する制御部を含み、
前記風発生部を通して流入された風は前記制御部によって強さが可変しつつ前記風排出口を通して排出され、
前記風発生部は連結具によって前記首掛け部の両端部に各々連結され、
前記風発生部または首掛け部は前記連結具と回転可能に結合されることを特徴とするネックレス型扇風機。
【請求項５】
チューブ形態を有し、長さ方向に沿って複数の風排出口が形成される曲線状の首掛け部、
前記首掛け部と内部が連通し、ファンが設けられて前記首掛け部の内部に風を送る風発生部、及び
前記ファンの回転速度を調節する制御部を含み、
前記風発生部を通して流入された風は前記制御部によって強さが可変しつつ前記風排出口を通して排出され、
前記風発生部は連結具によって前記首掛け部の両端部に各々連結され、
前記風発生部が首掛け部から相対回転可能になるように、前記連結具は外力によって伸縮可能に形成されることを特徴とするネックレス型扇風機。
【請求項６】
前記風発生部には、外部空気が流入されるように貫通形成された風流入口が形成されることを特徴とする、請求項１乃至５のいずれか一項に記載のネックレス型扇風機。
【請求項７】
前記風発生部には、前記風流入口を密閉または開放する調整具が形成されることを特徴とする、請求項６に記載のネックレス型扇風機。
【請求項８】
前記風発生部は、前記首掛け部に流入される風の速度が増加するように前記首掛け部に近くなるほど風が通過する断面積が減少することを特徴とする、請求項１乃至７のいずれか一項に記載のネックレス型扇風機。
【請求項９】
前記首掛け部は、首を取り囲む形態で形成され、両端部が互いに広げられるように弾性曲げ変形可能に形成されることを特徴とする、請求項１乃至８のいずれか一項に記載のネックレス型扇風機。
【請求項１０】
前記首掛け部または風発生部にはバッテリーが取り付けられる装着部が形成され、
前記制御部は、
外部電子機器から有線または無線でデータを受信する受信部、及び
前記受信部の信号に応じて前記バッテリー部から前記ファンに印加される電圧を調節する調節部を含むことを特徴とする、請求項１乃至９のいずれか一項に記載のネックレス型扇風機。
【請求項１１】
前記風発生部に陰イオン発生部が形成されることを特徴とする、請求項１乃至１０のいずれか一項に記載のネックレス型扇風機。
【発明の詳細な説明】
【技術分野】
【０００１】
本発明は、ネックレス型扇風機に関し、より詳しくは、携帯用扇風機が首にかけられるように形成され、着用時に使用者の首に向かって涼しい風が排出されるネックレス型扇風機に関する。
【背景技術】
【０００２】
扇風機は電動機の軸に設置した羽根を回転して風を引き起こして涼しい感じを与える機械装置である。扇風機は主に暑い夏に涼しい風を引き起こすために使われており、それ以外にも空気が淀む地下室のようなところで換気用として使われるか、または洗濯物を乾燥させる時、熱い食べ物を冷ます時、または入浴後の髪の毛を乾かす時などにも使われる。扇風機によって涼しく感じられるのは、気流で皮膚の汗やその他の液体分泌物の蒸発を促し気化熱を奪うためである。
【０００３】
扇風機は模様と用途に応じて卓上用扇風機、スタンド型扇風機、換気用扇風機、天井型扇風機及び携帯用扇風機等があり、速度調節と回転調節が遠い距離でも可能なリモートコントロール方式とマイクロコンピュータを内蔵して自動で風の速度を調節して快適に寝られるようにプログラムが備えられたものもある。
【０００４】
この中でも、携帯用扇風機はカバンやハンドバッグ等に入れて携帯し取り出して使えるように小型に製作されたものであり、乾電池によって作動する小型モータ、羽根及びケースで構成されており、使用者は取っ手部を握って所望の身体部位に風を供給できるようになる。
【０００５】
しかし、携帯用扇風機は携帯することができるように小型に製作されたものであるが、携帯用扇風機を入れることができるカバンなしで外出する場合にはズボンのポケットや上着のポケットに入れるにはその大きさが大きくて手で持ち歩くしかなく、そのため、紛失する場合が多かった。また、自転車に乗ったりジョギングのように運動をする場合には、体と腕に持続的な加速・減速が作用するため、長時間手で握ったりポケットに入れたりするには不便な問題があった。
【０００６】
このような問題を解決するために、携帯用扇風機中には小型扇風機を首にかけられる紐と連結したネックレス用小型扇風機がある。従来技術のネックレス用小型扇風機は、紐を使用者の首にかけた状態で紐に結合された小型扇風機を首と顔近くに固定することができるため、風を顔に近接した状態で供給できるという利点がある。
【０００７】
しかし、従来技術の小型扇風機は、モータ及び乾電池を含む小型扇風機の荷重が専ら細い紐に頼って首に作用することにより、使用者が小型扇風機を持続的に着用する場合、首の後方に負担がかかるかまたはアセモが発生するという問題があった。
【０００８】
また、小型扇風機が紐の下端で首にかけられているため、使用者が歩いたり自転車に乗ったりするなど動くようになれば、小型扇風機の荷重による張力が紐に作用する状態で紐が時計の振り子のように左右方向に揺れるようになり、そのため、使用者の首に持続的な摩擦による擦り傷が発生するという問題があった。
【０００９】
なお、小型扇風機が紐によって使用者の首にかけられた状態では、専ら上側にのみ風を発生させるため、使用者の首の前方と顎下にのみ風が至るようになる短所があり、そのため、使用者は首と顔の全体に風を供給するために随時に小型扇風機を把持して首の後方及び顔の横方に移動させなければならない不便があった。
【発明の概要】
【発明が解決しようとする課題】
【００１０】
本発明の目的は、使用者が手で把持して移動させなくても着用した状態で首と上体または顔に風を満遍なく供給することができ、長時間首に着用しても首に負担がかかるかまたはアセモ及び擦り傷の発生が防止され、風の強さを自動で可変することができるネックレス型扇風機を提供することにある。
【課題を解決するための手段】
【００１１】
前記目的は、本発明により、チューブ形態を有し、長さ方向に沿って複数の風排出口が形成される曲線状の首掛け部、前記首掛け部と内部が連通し、ファンが設けられて前記首掛け部の内部に風を送る風発生部、及び前記ファンの回転速度を調節する制御部を含み、前記風発生部を通して流入された風は前記制御部によって強さが可変しつつ前記風排出口を通して排出されることを特徴とするネックレス型扇風機によって達成される。
【００１２】
前記風発生部には、外部空気が流入されるように貫通形成された風流入口が形成されてもよい。
【００１３】
前記風発生部には、前記風流入口を密閉または開放する調整具が形成されてもよい。
【００１４】
前記風発生部は、前記首掛け部に流入される風の速度が増加するように前記首掛け部に近くなるほど風が通過する断面積が減少するように形成されてもよい。
【００１５】
前記首掛け部は、首を取り囲む形態で形成され、両端部が互いに広げられるように弾性曲げ変形可能に形成されてもよい。
【００１６】
前記首掛け部または風発生部にはバッテリーが取り付けられる装着部が形成され、前記制御部は、外部電子機器から有線または無線でデータを受信する受信部、及び前記受信部の信号に応じて前記バッテリー部から前記ファンに印加される電圧を調節する調節部を含んでもよい。
【００１７】
前記首掛け部の外面には長さ方向に沿って風流れ溝が形成され、前記複数の風排出口は前記風流れ溝の内側に形成され、前記首掛け部が着用者の首に密着する場合、前記風排出口から排出された風は前記風流れ溝に沿って流れて皮膚の熱を吸収するようになってもよい。
【００１８】
前記風発生部に陰イオン発生部が形成されてもよい。
【００１９】
前記風発生部は前記首掛け部の両端部に各々形成され、前記首掛け部の内部には内部空間を区切る隔壁が形成されてもよい。
【００２０】
前記風発生部は前記首掛け部の両端部に各々形成され、前記首掛け部は、端部にいずれか一つの前記風発生部が形成される第１首掛け部、及び前記第１首掛け部と回転可能に結合され、端部に他の一つの前記風発生部が形成される第２首掛け部を含んでもよい。
【００２１】
前記風発生部は連結具によって前記首掛け部の両端部に各々連結され、前記風発生部または首掛け部は前記連結具と回転可能に結合されてもよい。
【００２２】
前記風発生部は連結具によって前記首掛け部の両端部に各々連結され、前記風発生部が首掛け部から相対回転可能になるように、前記連結具は外力によって伸縮可能に形成されてもよい。
【００２３】
前記首掛け部は前記風発生部の両側に各々形成され、前記ファンは遠心ファン（ｃｅｎｔｒｉｆｕｇａｌ  ｆａｎ）に形成され、前記風発生部と首掛け部の各々は前記ファンの回転軸と直交する方向に連通してもよい。
【００２４】
前記遠心ファンは、羽根が前方に曲がっている多翼ファン（ｆｏｒｗａｒｄ−ｃｕｒｖｅｄ  ｂｌａｄｅ  ｆａｎ）に形成されてもよい。
【発明の効果】
【００２５】
本発明によれば、首掛け部の長さ方向に沿って複数の風排出口が形成されることにより、使用者が手で把持して移動させなくても着用した状態で首の周縁に沿って風を満遍なく供給できるネックレス型扇風機を提供することができる。
【００２６】
また、首掛け部の外面には内側に風排出口が配置される風流れ溝が長さ方向に沿って形成されることにより、首掛け部が皮膚に密着しても風排出口が遮らず風が風流れ溝に沿って流れて皮膚の熱を吸収することにより、長時間首に着用しても首に負担がかからず、首にアセモ及び擦り傷の発生が防止されるネックレス型扇風機を提供することができる。
【００２７】
なお、ファンの回転速度を調節する制御部が設けられることにより、風の強さが自動でまたは外部電子機器の信号に応じて可変することにより、長時間首に着用しても一定強さで吹く風による退屈さやそれに応じた皮膚の痛みなしで涼しい風の変化が感じられるネックレス型扇風機を提供することができる。
【図面の簡単な説明】
【００２８】
【図１】本発明の一実施形態によるネックレス型扇風機の斜視図である。
【図２】図１のネックレス型扇風機の側面図である。
【図３】図１のネックレス型扇風機の断面図である。
【図４】本発明の他の実施形態によるネックレス型扇風機の斜視図である。
【図５】本発明のまた他の実施形態によるネックレス型扇風機の斜視図である。
【図６】図５のネックレス型扇風機の風流入口を示す図である。
【発明を実施するための形態】
【００２９】
以下、添付図面を参照して本発明の好ましい実施形態を詳細に説明すれば以下のとおりである。但し、本発明を説明する際、既に公知の機能あるいは構成に関する説明は、本発明の要旨を明瞭にするために省略することにする。
【００３０】
本発明のネックレス型扇風機は、使用者が手で把持して移動させなくても着用した状態で首と上体または顔に風を満遍なく供給することができ、長時間首に着用しても首に負担がかかるかまたはアセモ及び擦り傷の発生が防止され、風の強さを自動で可変することができる。
【００３１】
図１は本発明の一実施形態によるネックレス型扇風機の斜視図であり、図２は図１のネックレス型扇風機の側面図であり、図３は図１のネックレス型扇風機の断面図であり、図４は本発明の他の実施形態によるネックレス型扇風機の斜視図であり、図５は本発明のまた他の実施形態によるネックレス型扇風機の斜視図であり、図６は図５のネックレス型扇風機の風流入口を示す図である。
【００３２】
図１〜図３に示すように、本発明の一実施形態によるネックレス型扇風機１は首にかけられるように形成されて着用時に使用者の首に向かって涼しい風が排出されるようになり、首掛け部１０、風発生部３０及び制御部５０を含んで構成される。
【００３３】
図１及び図２に示すように、首掛け部１０は使用者の首に着用されて風発生部３０を通して流入された風を使用者の首周縁に沿って供給する構成であり、使用者の首周縁を取り囲む曲線状のチューブ形態に形成される。首掛け部１０には長さ方向に沿って複数の風排出口（Ｈ２）が貫通形成される。
【００３４】
図１及び図３に示すように、風発生部３０は内部にファン３１が設けられて首掛け部１０の内部に風を送る構成であり、首掛け部１０と内部が連通するチューブ形態に形成される。
【００３５】
図１及び図３に示すように、風発生部３０は首掛け部１０の両端部から各々延び、首掛け部１０と風発生部３０はその境界で同一の曲率半径を形成する。首掛け部１０と風発生部３０がその境界で同一の曲率半径を形成すれば、互いに異なる曲率半径により皮膚に感じられる異物感が防止できるという利点がある。
【００３６】
上述した異物感を根本的に解消するために、本発明の一実施形態において、風発生部３０と首掛け部１０は、図１〜図３に示すように、ケース（Ｃ）が一体に連結される。
【００３７】
図１に示すように、ケース（Ｃ）は第１ケース（Ｃ１）と第２ケース（Ｃ２）とを含んで構成される。第１ケース（Ｃ１）と第２ケース（Ｃ２）は長さ方向に沿って互いに結合して長さ方向に沿って風が流れる円形または楕円形の断面を形成する。
【００３８】
図１に示すように、第１ケース（Ｃ１）は風発生部３０と首掛け部１０が共に使用者の首を取り囲む形態で着用時に外部から観察される面を形成し、第２ケース（Ｃ２）は風発生部３０と首掛け部１０が共に使用者の首を取り囲む形態で曲率半径に向かって使用者の首と接触可能な面を形成する。
【００３９】
風排出口（Ｈ２）は第２ケース（Ｃ２）に長さ方向に沿って複数で形成される。未説明の符号Ｈ２ａは風発生部の第２ケース（Ｃ２）に形成された風排出口であり、Ｈ２ｂは隔壁（Ｗ）の外側から第２ケース（Ｃ２）に形成された風排出口である。風排出口（Ｈ２）はこの他にも様々な部位に形成できることは勿論である。
【００４０】
ネックレス型扇風機１の首掛け部１０と接触する首の横から胸につながる身体部位には鎖骨が首と胸部位の間で突出する形態で位置する。
【００４１】
図２に示すように、首掛け部１０にはθ角度で曲がる屈曲部が形成される。首掛け部１０に鎖骨と接触する部分にやんわりと曲がる屈曲部が形成されれば、ネックレス型扇風機１の着用時、風発生部３０と首掛け部１０の屈曲部の下方は着用者の胸部位に接触し、首掛け部１０の屈曲部の上方はθ角度の屈曲部によって着用者の肩と首の後ろに楽に接触する。
【００４２】
屈曲部は、図２に示すように、屈曲した形態が固定された状態で射出成形できるが、使用者の身体条件に合わせて自由に変形されるように蛇腹構造または関節構造を有するように形成できることは勿論である。
【００４３】
図１及び図３に示すように、風発生部３０の各々の延びた端部は互いに離隔して一定の傾斜を持って向き合う形態を形成する。
【００４４】
勿論、風発生部３０の各々の延びた端部は互いに完全に向き合う形態に形成されることもできるが、本発明の一実施形態に示すように互いに斜めに向き合う形態に形成されれば、第一に外気の風発生部３０への流入が有利であり、第２に互いに傾斜した様々な形態でデザイン的な美麗感を与えることができる。
【００４５】
図１に示すように、ケース（Ｃ）は両端部、すなわち、風発生部３０の互いに離隔した端部が着用時に互いに遠くなるように弾性曲げ変形可能な材質からなる。第１ケース（Ｃ１）及び第２ケース（Ｃ２）は弾性変形する軟質の合成樹脂からなる。
【００４６】
勿論、第２ケース（Ｃ２）は着用者の首と接触するため、首と長時間接触するかまたは着用者が着用した状態で運動をしても首に伝達される衝撃力及び摩擦力が減少するように弾力的に変形可能なゴムやシリコン材質からなることができる。
【００４７】
図１及び図３に示すように、風発生部３０の各々の互いに傾斜して向き合う端部には外部空気が流入されるように貫通形成された風流入口（Ｈ１）が形成される。風流入口（Ｈ１）は外部異質物の流入が防止されるように格子網状に形成されることが好ましい。
【００４８】
図３に示すように、風発生部３０のケース（Ｃ）の内部にはファン３１とモータ（Ｍ）が設けられる。モータ（Ｍ）の回転軸は風流入口（Ｈ１）から首掛け部１０に連通する内部通路と並んで配置され、ファン３１はケース（Ｃ）の内部で風流入口（Ｈ１）に向かうように配置される。モータ（Ｍ）によってファン３１が回転すれば、ファン３１が風流入口（Ｈ１）側の空気を首掛け部１０側に流動させる。
【００４９】
図１に示すように、風発生部３０のケース（Ｃ）の外面にはバッテリー（Ｂ）の電源をモータ（Ｍ）に印加する作動ボタン５３が形成され、図３に示すように、風発生部３０の内部にはバッテリー（Ｂ）が取り付けられる装着部３２が形成される。
【００５０】
図１及び図３に示すように、風発生部３０は風流入口（Ｈ１）から首掛け部１０に近くなるほど風が通過する断面積が減少する形態に形成されることが好ましい。風発生部３０が首掛け部１０に近くなるほど風が通過する断面積が減少するようになれば、風流入口（Ｈ１）から首掛け部１０に近くなるほど風の速度が増加するという利点がある。
【００５１】
図３を参照すれば、風発生部３０から首掛け部１０に流入された風は首掛け部１０の長さ方向に沿って複数で形成された風排出口（Ｈ２）を通して着用者の首に向かって排出される。風排出口（Ｈ２）を通して排出される風は首の周縁に沿って皮膚の熱を吸収した後に大気中に放出される。
【００５２】
図３に示すように、首掛け部１０の内部には内部空間を区切る隔壁（Ｗ）が形成される。より詳しくは、隔壁（Ｗ）は首掛け部１０の中間に形成され、首掛け部１０の両側の風発生部３０から各々首掛け部１０に互いに反対方向に吹く風は隔壁（Ｗ）によって相互間の干渉が防止されて風の強さが減る現象が防止される。
【００５３】
図１の拡大図に示すように、首掛け部１０の外面、すなわち、第２ケース（Ｃ２）には長さ方向に沿って風流れ溝（Ｈ３）が形成される。
【００５４】
複数の風排出口（Ｈ２）は風流れ溝（Ｈ３）の内側に形成され、首掛け部１０が着用者の首に密着しても風排出口（Ｈ２）が皮膚によって遮られる現象が防止され、首掛け部１０が着用者の首に密着する場合、風排出口（Ｈ２）から排出された風は風流れ溝（Ｈ３）に沿って流れて皮膚の熱を十分に吸収した後に大気中に放出されるという効果がある。
【００５５】
図３に示すように、風発生部３０には陰イオン発生部３５が形成される。詳しくは図示されていないが、風発生部３０のケース（Ｃ）の内面には白雲母、トルマリン、ラジウム等が混合されたコーティング層が形成される。
【００５６】
コーティング層はモータ（Ｍ）と隣接した第２ケース（Ｃ２）の内側面に形成されることが好ましい。ネックレス型扇風機１の作動時、モータ（Ｍ）から発生する熱によって鉱物が加熱されれば陰イオン発生率が向上し、それにより、長時間着用時に着用者の首に向かってより多い陰イオンを放出するようになる。
【００５７】
図示されてはいないが、陰イオン発生部３５は上述した鉱物のコーティング層以外にも脱着可能な陰イオン発生ユニット（図示せず）からなることもできる。陰イオン発生ユニットは風発生部３０または首掛け部１０のケース（Ｃ）内部または外部に設けられることができ、負コロナ放電（Ｎｅｇａｔｉｖｅ  Ｃｏｒｏｎａ  Ｄｉｓｃｈａｒｇｅ）装置からなることができる。陰イオン発生装置に関する技術は公知技術であるので詳しい説明は省略する。
【００５８】
図３に示すように、制御部５０はファン３１の回転速度を調節する構成であり、風発生部３０のケース（Ｃ）の内部に設けられる。制御部５０は受信部５１及び調節部５２を含んで構成される。図３には受信部５１と調節部５２が多段に区切られる装着部３２にバッテリー（Ｂ）と共に収容された状態が示されている。
【００５９】
受信部５１は外部電子機器から有線または無線でデータを受信するための構成であり、好ましくは、着用者のスマートフォンと近距離無線通信が可能なブルートゥース装置からなる。
【００６０】
ブルートゥース装置は携帯電話、イヤホン、ボールペンなど様々な生活用品に取り付けられてデータ転送に用いられる近距離無線通信手段であり、既に公知の技術であるので詳しい説明は省略する。
【００６１】
調節部５２は受信部５１の信号を受けてバッテリー（Ｂ）からファン３１に印加される電圧を調節する構成であり、小型印刷回路基板からなる。
【００６２】
着用者のスマートフォンには近距離無線通信を介して受信部５１に無線データを転送するためのデータ転送用プログラムまたはアプリケーションが設置される。データ転送用プログラムまたはアプリケーションはスマートフォンの音楽再生用アプリケーションで再生している音楽を強さ及び音節別に分析してモータ（Ｍ）駆動のためのデータを形成し、これは近距離無線通信を介して受信部５１に転送される。
【００６３】
受信部５１により受信したデータは調節部５２に格納されるか、または調節部５２はデータに応じてバッテリー（Ｂ）からモータ（Ｍ）に印加される電圧をリアルタイムで調節するようになる。
【００６４】
勿論、データ転送用プログラムまたはアプリケーションはスマートフォンの音楽再生用アプリケーションで再生している音響データを加工せずに近距離無線通信を介してそのまま受信部５１に転送し、調節部５２によって音響データでの音の強さ及び音節別にモータ（Ｍ）に印加される電圧を可変させることもできる。
【００６５】
モータ（Ｍ）に印加される電圧が音響データに応じて時々刻々調節されれば、ファン３１の回転速度がスマートフォンで再生している音に合わせて可変することにより、風発生部３０を通して流入された風は強さが可変しつつ首掛け部１０の内部に流入される。
【００６６】
ネックレス型扇風機１の使用者は首周縁にスマートフォンで再生している音の強弱や音節に対応する風の変化を感じるようになり、それにより、ネックレス型扇風機１を長時間首に着用しても一定の強さで吹く風による退屈さやそれに応じた皮膚の痛みなしで持続的に涼しい風の変化を感じられるという利点がある。
【００６７】
勿論、調節部５２には一定したパターンの強さ及び間隔でモータ（Ｍ）に印加される電圧を調節する基本データが格納されており、受信部５１がデータを受けない場合にも作動ボタン５３の操作によって風の強さ及び間隔を調整することもできる。
【００６８】
図１に示すように、ネックレス型扇風機１は、首掛け部１０が第１首掛け部１１と第２首掛け部１２に分けられて互いに回転可能に結合されることもできる。
【００６９】
第１首掛け部１１と第２首掛け部１２は一端部に各々風発生部３０が結合され、互いの他端部は互いに回転可能に結合される。図１の拡大図に示すように、第１首掛け部１１と第２首掛け部１２はカプラー（Ｃ）を介して互いに相対回転可能に結合される。
【００７０】
カプラー（Ｃ）は両端部が第１首掛け部１１と第２首掛け部１２の内部通路に挿入される構成であり、カプラー（Ｃ）の一端部は第１首掛け部１１の内部通路に挿入されて回転しないように固定され、カプラー（Ｃ）の他端部は第２首掛け部１２の内部通路に回転可能に結合される。
【００７１】
より詳しくは、カプラー（Ｃ）の他端部の外周面には円周方向に沿ってレール溝（ｈ）が形成され、第２首掛け部１２の内周面にはレール溝（ｈ）に沿って移動可能に挿入される突出部が形成される。図示されてはいないが、カプラー（Ｃ）と第２首掛け部１２の内周面には一対の風流入口（Ｈ１）が互いに向き合う状態で一定強度の外力以下では相対回転が防止されるようにかかる係止部（図示せず）が形成されることが好ましい。
【００７２】
上述したように、第１首掛け部１１と第２首掛け部１２が互いに相対回転可能に結合されれば、ネックレス型扇風機１の着用時、首掛け部１０を弾性曲げ変形させなくても、一対の風流入口（Ｈ１）が互いに離隔するように第１首掛け部１１と第２首掛け部１２を互いに相対回転させた状態で首にかけ、再び風流入口（Ｈ１）が再び互いに向き合うように第１首掛け部１１と第２首掛け部１２を互いに相対回転させることにより、ネックレス型扇風機１を容易に着用できるという利点がある。
【００７３】
図４に示すように、本発明の他の実施形態によるネックレス型扇風機２は、首掛け部１０と風発生部３０が連結具７０によって互いに相対回転可能に備えられることができる。
【００７４】
首掛け部１０の両端部には各々連結具７０が結合され、一対の風発生部３０は各々連結具７０と結合される。詳しくは図示されていないが、連結具７０は一定強度以上の外力によって伸縮可能な材質、すなわち、ゴムやシリコンまたは蛇腹構造に形成される。
【００７５】
首掛け部１０と風発生部３０が伸縮可能な連結具７０によって連結されれば、ネックレス型扇風機２の着用時、首掛け部１０を弾性曲げ変形させなくても、一対の風流入口（Ｈ１）が互いに離隔するように両手で一対の風発生部３０を各々把持して連結具７０の変形を通じて回転させた状態で首にかけた後に手を離せば、連結具７０の弾性回復によって風流入口（Ｈ１）が再び互いに向き合うようになることにより、ネックレス型扇風機２をより容易に着用できるという利点がある。
【００７６】
図４の拡大図に示すように、風発生部３０と首掛け部１０は連結具７０及びカプラー（Ｃ）を介して互いに相対回転可能に備えられることもできる。
【００７７】
カプラー（Ｃ）は両端部が首掛け部１０と連結具７０の内部通路に挿入される。カプラー（Ｃ）の一端部は首掛け部１０の内部通路に挿入されて回転しないように固定され、カプラー（Ｃ）の他端部は連結具７０の内部通路に回転可能に結合される。
【００７８】
より詳しくは、カプラー（Ｃ）の他端部の外周面には円周方向に沿ってレール溝（ｈ）が形成され、連結具７０の内周面にはレール溝（ｈ）に沿って移動可能に挿入される突出部が形成される。
【００７９】
図示されてはいないが、カプラー（Ｃ）と連結具７０の内周面には一対の風流入口（Ｈ１）が互いに向き合う状態で一定強度の外力以下では相対回転が防止されるようにかかる係止部（図示せず）が形成されることが好ましい。
【００８０】
上述したように、首掛け部１０と連結具７０が互いに相対回転可能に結合されれば、ネックレス型扇風機２の着用時、首掛け部１０を弾性曲げ変形させなくても、一対の風流入口（Ｈ１）が互いに離隔するように首掛け部１０と風発生部３０を互いに相対回転させた状態で首にかけ、再び風流入口（Ｈ１）が再び互いに向き合うように首掛け部１０と風発生部３０を互いに相対回転させることにより、ネックレス型扇風機２をより容易に着用できるという利点がある。
【００８１】
図５に示すように、本発明のまた他の実施形態によるネックレス型扇風機３は、首掛け部１０が風発生部３０の両側に各々形成され、ファン３１は両側の首掛け部１０に同時に風を送る遠心ファンからなることができる。
【００８２】
図５の拡大図に示すように、風発生部３０のケース（Ｃ）の内部に遠心ファンを設け、図６（ａ）に示すように、ケース（Ｃ）の裏面に風流入口（Ｈ１）を形成すれば、ケース（Ｃ）の内部に入ってくる風は遠心ファンの回転軸と平行した方向に流入され、ケース（Ｃ）の内部で首掛け部１０側に流出される風は回転軸と直交する方向に排出される。
【００８３】
遠心ファンは回転軸が使用者の正面方向に向かうように風発生部３０のケース（Ｃ）の内部に設けられることによって風発生部３０の厚さが薄くなり、ファン３１の羽根から回転軸と直角方向に排出される風はケース（Ｃ）内部の左側及び右側に管路抵抗が最小化されるように曲面に形成された装着部３２を介して摩擦による損失が最小化されて首掛け部１０に加圧移送される。
【００８４】
遠心ファンは羽根が前方に曲がっている多翼ファン（ｆｏｒｗａｒｄ−ｃｕｒｖｅｄ  ｂｌａｄｅ  ｆａｎ）からなる。遠心ファンの羽根が多翼形に構成されて回転方向に湾曲するように形成されれば、より大きい風量及び風速を出力できるという効果がある。
【００８５】
風流入口（Ｈ１）は外部から遠心ファンのハブに風が流入される入口であり、ケース（Ｃ）の後面に遠心ファンのハブと対応する位置に形成される。風流入口（Ｈ１）は遠心ファンの円周方向に沿って形成される複数のホールからなる。
【００８６】
モータ（Ｍ）を作動させる作動ボタン５３は使用者が容易に操作できるように風発生部３０の前面に備えられる。
【００８７】
図６に示すように、本発明のまた他の実施形態によるネックレス型扇風機３において、風発生部３０のケース（Ｃ）には風流入口（Ｈ１）を密閉または開放する調整具３４が形成されることができる。
【００８８】
調整具３４は円形または扇形の形状に形成され、遠心ファンの回転軸と同一線上の回転軸３４ａによって風発生部３０のケース（Ｃ）に回転可能に結合される。調整具３４には風流入口（Ｈ１）と同一または対応する複数のホールが貫通形成され、調整具３４の一側縁部には風発生部３０の外部に突出するレバー３４ｂが形成される。
【００８９】
図６（ａ）に示すように、風流入口（Ｈ１）と調整具３４のホールが互いに一致する状態では、風流入口（Ｈ１）の全面積を通した外部空気の流入がなされる。
【００９０】
図６（ｂ）に示すように、着用者がレバー３４ｂを一側に加圧すれば、調整具３４は遠心ファンの回転軸を基準に回転し、それにより、風流入口（Ｈ１）と調整具３４のホールが互いに不一致して調整具３４が風流入口（Ｈ１）の一部または全部を遮るようになる。
【００９１】
風流入口（Ｈ１）を密閉または開放する調整具３４が設置されれば、風流入口（Ｈ１）を通してファン３１に流入される風の量を調整することができるため、首掛け部１０を通して排出される風の量を変化させることができ、使用者は調整具３４を調整して首掛け部１０を通して排出される風の量を自由に調整することができる。
【００９２】
図５に示すように、風発生部３０の両側に形成された首掛け部１０の端部は連結具７０によって連結される。
【００９３】
詳しくは図示されていないが、ネックレス型扇風機３の着用時、連結具７０と首掛け部１０の端部が互いに分離するように、連結具７０の一端部はいずれか一つの風発生部３０の端部に脱着可能に結合される。連結具７０と首掛け部１０との脱着可能な結合構造は磁石結合、突起及び溝による係止結合など様々な方式でなされることができる。
【００９４】
連結具７０はゴムまたはシリコン材質からなって着用時に皮膚と接触してやんわりと変形され、ファン３１の振動を吸収してファン３１の振動が使用者の首に伝達されるのを防止する機能を有する。
【００９５】
本発明によれば、首掛け部１０の長さ方向に沿って複数の風排出口（Ｈ２）が形成されることにより、使用者が手で把持して移動させなくても着用した状態で首の周縁に沿って風を満遍なく供給できるネックレス型扇風機１を提供することができる。
【００９６】
また、首掛け部１０の外面には内側に風排出口（Ｈ２）が配置される風流れ溝（Ｈ３）が長さ方向に沿って形成されることにより、首掛け部１０が皮膚に密着しても風排出口（Ｈ２）が遮らず風が風流れ溝（Ｈ３）に沿って流れて皮膚の熱を吸収することにより、長時間首に着用しても首に負担がかからず、首にアセモ及び擦り傷の発生が防止されるネックレス型扇風機１を提供することができる。
【００９７】
なお、ファン３１の回転速度を調節する制御部５０が設けられることにより、風の強さが自動でまたは外部電子機器の信号に応じて可変することにより、長時間首に着用しても一定の強さで吹く風による退屈さやそれに応じた皮膚の痛みなしで涼しい風の変化が感じられるネックレス型扇風機１を提供することができる。
【００９８】
以上、本発明の特定の実施形態を説明及び図示したが、本発明は記載された実施形態に限定されるものではなく、本発明の思想及び範囲を逸脱せずに多様に修正及び変形できることは本技術分野で通常の知識を有する者に明らかなことである。よって、そのような修正例または変形例は本発明の技術的思想や観点から個別的に理解してはならず、変形された実施形態は本発明の特許請求の範囲に属するとみなすべきである。
【産業上の利用可能性】
【００９９】
本発明に係るネックレス型扇風機によれば、ファンの回転速度を調節する制御部が設けられることにより、風の強さが自動でまたは外部電子機器の信号に応じて可変することにより、長時間首に着用しても一定の強さで吹く風による退屈さやそれに応じた皮膚の痛みなしで涼しい風の変化が感じられるという点で、従来技術の限界を飛び越えることによって関連技術に対する利用だけでない、適用される装置の市販または営業の可能性が十分であるだけでなく、現実的に明白に実施できる程度であるため、産業上の利用可能性がある発明である。
【図１】
0006475867.tif 000002
【図２】
0006475867.tif 000003
【図３】
0006475867.tif 000004
【図４】
0006475867.tif 000005
【図５】
0006475867.tif 000006
【図６】
0006475867.tif 000007